(57)【要約】【課題】  従来のあらゆる素材のチューブ製品は殆どがチューブの中の製品が最後迄出し切れずに貴重なチューブ内の製品が無駄に使用されている。【解決手段】  ボルトを半径に施工、両平面に滑り止め、両端に全ネジボルトを施し、チョウナット、丸、四角型等のナットでボルトを閉め、ボルトを回し易くする。ボルトの中央に２ｍｍ程度の隙間を施工、片端平面、側面にＬ型、Ｔ型ボルトを施し、両片面に丸、四角型等の手回し取っ手を施しチューブをボルトに巻き付け回し易くする。ボルトの中央に片側を１，５ｃｍ程開け、片側は側面まで２ｍｍ程度の隙間を抜き、ボルト外周側に滑り止めを施し、１，５ｃｍ程開けた側面にＴ型、Ｉ型ボルト等を施し、両片面に丸、四角型等の手回し取っ手を施し、チューブをボルトに巻き付け回し易くし、チューブを片隅迄抜いた隙間から巻き付けたまま抜ける。等の事によりボルトにチューブをキャップ口まで巻き付ける事が出来、キャップ口にチューブ内の製品が簡単に出て、貴重なチューブ内の製品が無駄なく使用出来る。【選択図】図３
2007308200.tif 000002
【特許請求の範囲】
【請求項１】
ステンレス製等のボルトを半径に施工、半径にしたボルト２本を平面の両面に滑り止めの為、全ネジ式等を施す。両端に全ネジボルト通しを施工。両端に全ネジ式ボルトを通し其の全ネジボルトの片側両方面にストップ止めを施す。反対側の全ネジボルトへチョウナットを施し先端はストップ止めを施す。又、両端に通した全ネジ式ボルト２本の各両端に丸、四角型等のナットを施す。各、ボルト半径の平面にチューブ製品のキャップ口反対側を差し込み、チョウナット、丸、四角型等のナットを締めボルトを回す事に寄りチューブをキャップ口まで巻き付ける事が出来、簡単に無駄なくチューブ内の製品がキャップ口に出て使用出来る事を特徴とする簡単チューブ出しボルト。
【請求項２】
ステンレス製等のボルトを棒状で使用、其の中央に隙間約２ｍｍ程度、長さは随時設定する事とし施工する。片端の平面に穴を開けネジ式等を施し、其の穴にＬ型ボルトの片側へネジ式等を施し入れる。片側へ手回し出来る様に丸  四角型等の取っ手を施工する。又、Ｔ型ボルトの下側へネジ式等を施し、棒状ボルト側面の穴にネジ式等を施し入れ、Ｔ型ボルト両側面に丸、四角型等の取っ手を施工する。各、ボルトの隙間にチューブキャップ口反対側を差込み、チューブを手で押さえ取り付けた丸、四角型等の取っ手を回す事によりチューブをキャップ口まで巻き付ける事が出来、簡単に無駄なくチューブ内の製品がキャップ口に出て使用出来る事を特徴とする簡単チューブ出しボルト。
【請求項３】
ステンレス製等のボルトを棒状で使用、外周側に滑り止めの為に全ネジ式を施す。片側を１，５ｃｍ程開けボルト中央に幅約２ｍｍ程度の隙間をボルトの片側側面迄開ける。１，５ｃｍ開けた側面に穴を開けネジ式等を施し、其の穴にＴ型ボルトの下側をネジ式等を施し入れる。Ｔ型ボルトの上両側面に丸、四角型等の取っ手を施工する。又、片側面の穴にＩ型ボルト片側へネジ式等を施し入れ、片側へ丸、四角型等の取っ手を施工する。各、片側側面迄開けた隙間からチューブキャップ口の反対側を差込み取り付けた丸、四角型等の取っ手を回す事によりチューブがボルトに巻き付く、側面迄抜いた隙間はチューブを巻き付けたままでボルトから抜ける。等の事に寄り、チューブをキャップ口まで巻き付ける事が出来、簡単に無駄なくチューブ内の製品がキャップ口に出て使用出来る事を特徴とする簡単チューブ出しボルト。
【発明の詳細な説明】
【技術分野】
【０００１】  本発明は、容易に出し切る事が出来ない、あらゆる素材のチューブの中の製品を簡単に無駄なく出しきる事を図ったボルトに関する。
【背景技術】
【０００２】  現時点に於いて、工場用品、薬品、文具用品、日用品、化粧用品に至って、あらゆる品種のチューブは中の製品が容易に出し切る事が出来ず、最後迄、貴重な製品が使用出来ない。
【特許文献１】
【特許文献２】
【特許文献３】
【非特許文献１】
【非特許文献２】
【発明の開示】
【発明が解決しようとする課題】
【０００３】  以上に述べたあらゆるチューブ製品に於いて、チューブの素材に関わらず、チューブ内の製品を最後迄出し切れない。【０００４】  本発明は、此の様な従来の出し切れないチューブ内の製品をボルトを使用して、そのボルトにチューブを巻き付けながら中の製品が容易に出し切る事を目的とするものである。
【課題を解決するための手段】
【０００５】  本発明は上記目的を達成する為にステンレス等のボルトを２等分、両平面に全ネジ式などを施し滑り止めとし、両端に全ネジボルト通しを施し、全ネジボルトを通し、両片側にストップ止め、反対の両片側にチョウナット、ストップ止めを施す。又、２等分したボルトの両端の全ネジボルト２本の各両端に丸、四角型等のナットを施す。等の事に寄りチョウナット、丸、四角型ナット等を閉める事に寄り、二等分したボルトを回し易くする。【０００６】  第２の解決手段は、ボルトを棒状で使用中央に２ｍｍ程度の隙間を施工し、片端の平面にネジ式等の穴を施工、Ｌ型ボルト片側をネジ式を施し穴に入れ、片側に手回し出来るように丸、四角型等の取っ手を施す。又、Ｔ型ボルト下側にネジ式等を施しネジ式の穴に入れ、上両側面に丸、四角型等の取っ手を施す。等の事に寄り、取っ手を回す事に寄りボルトが回し易くなる。【０００７】  第３の解決手段はボルトを棒状で使用、外周側へ滑り止めの為全ネジ式を施す。ボルト片側は１，５ｃｍ程開け、中央に２ｍｍ程の隙間をボルト片側側面迄開ける。片側１，５ｃｍ程開けた側面に穴を開けネジ式等を施し、Ｔ型ボルト下側にネジ式を施し側面の穴に入れ、上側両端に丸、四角型等の取っ手を施す。又、Ｉ型ボルト片側にネジ式を施し側面の穴に入れ、片側に丸、四角型等の取っ手を施す。等の事に寄り、取っ手を回す事に寄りボルトが回し易くなる。【０００８】  上記第１の課題解決手段による作用はボルトの隙間にチューブ製品のキャップ口反対側を差し込み、チョウナット、丸、四角型等のナットを締めボルトを回す。第２の解決手段は中央の隙間にチューブキャップ口反対側を差し込み、丸、四角型等の取っ手を回す。第３の解決手段は片側側面まで開けた隙間からチューブ口反対側を差し込み、丸、四角型等の取っ手を回し、側面からチューブはボルトに巻き付けたままで抜ける。等の事に寄り、チューブがボルトにキャップ口まで巻き付き、問題点を解決するという効果を発揮する。
【発明の効果】
【０００９】  上述した様に本発明の簡単チューブ出しボルトは、ボルトの長さ、隙間の太さを調節する事に寄り、工業用品、薬品、文具用品、日用品、化粧用品とあらゆる素材のチューブの中の貴重な製品を容易に最後まで使用出来るという効果を発揮するものである。【００１０】  以下、本発明の実施の形態を［図１］〜［図４］に基づいて説明する。【００１１】  ［図１］の１Ａ，２Ａに於いては，（１）は２等分したボルト。（２）は滑り止め。（３）は両端のボルト入れの穴。（４）は全ネジボルト。（５，６）は全ネジストップ止め。（７）はチョウナット（８）は丸、四角型等のナット［図４］の（１Ａ）（２Ａ）は一部切断面図。【００１２】  ［図２］の３Ａ，４Ａ於いては、（９）は棒状のボルト。（１０）は中央に施した隙間。（１１）はＬ型ボルト（１２）は丸、四角型等の取っ手。（１３）はＴ型ボルト。［図４］の（３Ａ）（４Ａ）は一部切断面図。【００１３】  ［図３］の５Ａ，６Ａに於いて、（１４）は棒状ボルト。（１５）はボルト中央の側面迄抜いた隙間。（１６）はＴ型ボルト。（１７）は丸、四角型等の取っ手。（１８）はＩ型ボルト。（１９）は外周側に施した全ネジ式。［図４］の（５Ａ）（６）は一部切断面図。
【図面の簡単な説明】
【００１４】
【図１】  １Ａ  本発明の正面図  ２Ａ  本発明の正面図
【図２】  ３Ａ  本発明の正面図  ４Ａ  本発明の正面図
【図３】  ５Ａ  本発明の正面図  ６Ａ  本発明の正面図
【図４】  １Ａ一部切断面図  ２Ａ一部切断面図  ３Ａ一部切断面図  ４Ａ一部切断面図  ５Ａ一部切断面図  ６Ａ一部切断面図
【符号の説明】
【００１５】  （１）    半径ボルト                    （１１）  Ｌ型ボルト
（２）    全ネジ式滑り止め              （１２）  丸、四角型等の取っ手
（３）    ボルト通しの穴                （１３）  Ｔ型ボルト
（４）    全ネジボルト                  （１４）  棒状ボルト
（５，６）全ネジストップ止め            （１５）  中央の隙間
（７）    チョウナット                  （１６）  Ｔ型ボルト
（８）    丸、四角型等のナット          （１７）  丸、四角型等の取っ手
（９）    棒状のボルト                  （１８）  Ｉ型ボルト
（１０）  中央の隙間                    （１９）  全ネジ式
（１Ａ）（２Ａ）（３Ａ）（４Ａ）（５Ａ）（６Ａ）  ボルト一部切断面図
【図１】
2007308200.tif 000003
【図２】
2007308200.tif 000004
【図３】
2007308200.tif 000005
【図４】
2007308200.tif 000006